(57)【要約】      （修正有）【課題】測定対象物の測定点を視認しやすい光学特性測定器を提供する。【解決手段】携帯型光学特性測定器である携帯型光沢計は、光学部５に、測定に用いる光を投射する光源８ａ、８ｂと、試料から反射した光を受光する受光器９ａ、９ｂと、試料７に対して垂直な方向から光を投光する投光器１０を有し、測定する際に操作ボタンを押すことで、携帯型光沢計が実際に測定する点を投光器１０からの光によって示すことができる。【選択図】図２
0003193500.tif 000002
【実用新案登録請求の範囲】
【請求項１】
測定器の測定面に対して垂直な方向から、測定器が実際に測定する点を視認するための光を投光する投光器を設けた光学特性測定器。
【請求項２】
前記投光器としてＬＥＤまたはレーザーダイオードを用いた請求項１に記載の光学特性測定器。
【請求項３】
実際に測定する点を確認するための前記投光器からの光を、測定する際に消灯させる機能を設けた請求項１ないし請求項２に記載の光学特性測定器。
【考案の詳細な説明】
【技術分野】
【０００１】
本考案は、携帯型光学特性測定器に関する。更に詳しくは測定対象物に対し、測定箇所を指示する光を投光することで、正確な位置で測定できる携帯型光学特性測定器に関するものである。
【背景技術】
【０００２】
光沢（つや）、ヘーズ（曇り）、色、像鮮明度（写像性）などの物体の見え方を数値として定量的に評価するために光沢計、ヘーズメーター、測色計、写像性測定器などの光学特性測定器がある。またこれらの測定器には実験室、研究室等で主に用いられる卓上型測定器と、生産ライン等の現場で主に用いられる携帯型測定器がある。
【先行技術文献】
【特許文献】
【０００３】
【特許文献１】実公平６−４２１９８
【考案の概要】
【考案が解決しようとする課題】
【０００４】
これらの測定器では一般的に、試験片に対して測定光を照射し、試験片から反射あるいは透過した光を受光器によって受光することで、試験片の光学特性を測定している。しかしこれらの測定器において試験片の特定の箇所を測定したい場合や試験片の測定箇所が細かく区切られている場合などでは、測定器が測定する箇所と試験片上の測定したい箇所を合わせることが困難なことがあった。特に携帯型測定器の場合、生産ライン上の大きな試験片などに対して、手で測定器を持ちながら位置を合わせる必要があるため、試験片の形状や測定したい箇所の向きによっては、測定する箇所の視認が困難な場合があり、試験片上の測定したい箇所と実際に測定する箇所にずれが生じることがあった。
【０００５】
また、正確に測定箇所を確認するためには測定治具を別途設ける必要があった。（特許文献１）
【０００６】
本考案は、かかる問題を鑑みてなされ、本考案の目的は、測定治具を別途設けることなく測定器が測定する点を視認しやすくした光学特性測定器を提供することである。
【課題を解決するための手段】
【０００７】
上記目的を達成するために、本考案の光学特性測定器は、測定器の測定面に対して垂直な方向に、測定器が実際に測定する点を視認するための光を投光する投光器を設けたものである。
【０００８】
本考案の光学特性測定器は、測定器が実際に測定する点を測定者が視認できるため、測定したい点と、測定器が実際に測定する点との位置合わせを容易に行うことができる。
【０００９】
この場合において、上記投光器として、ＬＥＤあるいはレーザーダイオードを用いることが可能である。このようにした場合、指向性の高い光を投光することができるので、より正確に測定器が測定する点を視認することができる。さらにＬＥＤやレーザーダイオードを使用した場合、他の光源を投光器に使用した場合と比べ測定器の省電力、長寿命化にもつながる。
【００１０】
本考案の光学特性測定器は、測定器が実際に測定する点を視認するための光を、測定する際に消灯させる機能を有する。このようにした場合、測定する際に、測定器が測定する点を視認するための光を、受光器が受光することなく測定できるため、より正確な測定が可能となる。
【考案の効果】
【００１１】
本考案の光学特性測定器は、投光器によって試験片に照射した光を、測定者が測定したい点と合わせることによって、容易に測定したい点と、実際に測定する点を一致させることができる。さらに、正確な実際に測定する点を視認することができることで、試験片をより細かく測定することが可能となる。よって利便性を向上することが可能となる。
【図面の簡単な説明】
【００１２】
【図１】本考案の携帯型光学特性測定器である光沢計の側面図である。
【図２】本考案の携帯型光学特性測定器である光沢計の光学部概略図である。
【図３】本考案の携帯型光学特性測定器である光沢計の斜視図である。
【考案を実施するための最良の形態】
【００１３】
本考案の光学特性測定器として携帯型光沢計１を用いて説明する。
【００１４】
[測定器の構成]
図１は、本考案の光学特性測定器である携帯型光沢計１の側面図である。図１に示すように携帯型光沢計１は、本体の天面に表示部２と操作部３を有し、底面に測定孔４を有する。また本体内部下方に光学部５を有する。さらに、光沢計を持った際に親指で操作できるように、本体側面に操作ボタン６を有する。
【００１５】
図２は携帯型光沢計１の光学部５の概略図である。光学部５は光源８ａ、８ｂと、受光器９ａ、９ｂと、投光器１０とを有する。試料７の光沢値を測定するために、試料７の上に、携帯型光沢計１の測定面１１をのせる。投光器１０は試料７の垂線方向から光を投射する。光源８ａと受光器９ａは、２０°の光沢値を測定するために、試料７の垂線に対して２０度の方向から光を照射し、試料７から試料７の垂線に対して２０度の方向に反射（鏡面反射）した光を受光するようになっている。同様に光源８ｂと受光器９ｂは、６０°の光沢値を測定するために、試料７の垂線に対して６０度の方向から光を照射し、試料７から試料７の垂線に対して６０度の方向に反射（鏡面反射）した光を受光するようになっている。
【００１６】
[測定手順]
図３は携帯型光沢計１と試料７の斜視図であり、試料７上の光沢度を測定したい点１４と、携帯型光沢計１が実際に測定する点１２との位置合わせから測定に至るまでの手順を説明する。
【００１７】
測定者は事前に操作部３により、測定条件等を予め設定し、ゼロ合わせ、標準合わせ等の初期設定を行う。続いて、操作ボタン６を押下することで投光器１０を点灯させる。すると投光器１０による光が、携帯型光沢計の実際に測定する点１２の延長線上にある試料７上の延長線上の点１３に照射される。測定者は延長線上の点１３が、測定したい点１４と一致するように携帯型光沢計１の位置を調整し、試料７を接触させる。その後、再度操作ボタン６を押下することによって、投光器１０が消灯され、光源８ａおよび光源８ｂを順次点灯させ、対応する角度の受光器９ａおよび受光器９ｂによって、試料７から反射した光を受光する。図示しない制御部によって受光した光から光沢値を算出し、表示部２に測定結果を表示するとともに、図示しない記録部に測定結果を保存する。
【００１８】
本実施例では、光学特性測定器として光沢計を用いたが、これに限らず、例えば測色計、ヘーズメーター、像鮮明度測定器などの他の光学特性測定器に用いることができる。また投光器１０としてＬＥＤやレーザーダイオードを用いたが、これに限らず、例えばハロゲンランプなど他の光源を用いることができる。
【００１９】
本実施例では、光源８ａ、８ｂ、受光器９ａ、９ｂの角度を２０度、６０度としたが、これに限らず、例えば４５度、７５度、８５度など他の角度としてもよい。
【符号の説明】
【００２０】
１   携帯型光沢計
２   表示部
３   操作部
４   測定孔
５   光学部
６   操作ボタン
７   試料
８ａ、ｂ  光源
９ａ、ｂ  受光器
１０ 投光器
１１  測定面
１２  実際に測定する点
１３  延長線上の点
１４  測定したい点
【図１】
0003193500.tif 000003
【図２】
0003193500.tif 000004
【図３】
0003193500.tif 000005
【手続補正書】
【提出日】平成26年8月5日(2014.8.5)
【手続補正１】
【補正対象書類名】実用新案登録請求の範囲
【補正対象項目名】請求項１
【補正方法】変更
【補正の内容】
【請求項１】
測定器の測定面に対して垂直な方向から、前記測定器が実際に測定する点を視認するための光を投光する投光器を前記測定器本体内部に設けた、光学特性測定器。